(57)【特許請求の範囲】
【請求項１】
遊技店の島設備に取付けられる外枠と、遊技に必要な全部の部品の取付けられかつ外枠の裏側から外枠に嵌め込まれる前枠とよりなる遊技機枠体において、外枠は前枠を外枠の裏側から収納するための前枠収納空間を囲み形成する額縁状であって、外枠の前面側には前枠収納空間側に突出して前枠収納空間に収納された前枠を受け止めるための前側片を備え、外枠の上下枠部には外枠を島設備に回転可能に取付けるための回転支持機構を外枠の左右方向中央位置に備え、外枠の左右枠部または上下枠部には前枠収納空間に収納された前枠と外枠とを組付けるための前枠ロック機構を備え、左右枠部の何れか一方には鍵穴に挿入されるキープレートの操作により島設備に固定する閂を上枠部または下枠部に対し上下移動させるための施錠装置を備え、施錠装置の鍵穴が左右枠部の何れか一方の前面側および裏面側の双方からキープレートを挿入可能な形態であることを特徴とする遊技機枠体。
【請求項２】
遊技店の島設備に取付けられる外枠と、遊技に必要な全部の部品の取付けられかつ外枠に嵌め込まれる前枠とよりなる遊技機枠体において、外枠は前枠を収納するための前枠収納空間を当該前枠収納空間に収納された前枠を受け止めるための前側片の存在しない前後方向に貫通する形状に囲み形成する額縁状であって、外枠の上下枠部には外枠を島設備に回転可能に取付けるための回転支持機構を外枠の左右方向中央位置に備え、外枠の左右枠部には前枠収納空間に収納された前枠と外枠とを組付けるたの前枠ロック機構を備え、左右枠部の何れか一方には鍵穴に挿入されるキープレートの操作により島設備に固定する閂を上枠部または下枠部に対し上下移動させるための施錠装置を備え、前枠には前枠ロック機構のロック片を嵌め込むための受溝を形成したことを特徴とする遊技機枠体。
【請求項３】
外枠の左右方向中央位置には回転支持機構備に代る軸受孔が設けられ、島設備の上下框には外枠の軸受孔に嵌め込むための回転支持機構が設けられたことを特徴とする請求項１または請求項２記載の遊技機枠体。
【発明の詳細な説明】
【０００１】
【発明の属する技術分野】
本発明はパチンコ機やスロットマシン等の遊技機に使用される枠体に関する。
【０００２】
【従来の技術】
特公昭４５−２０１７８号公報で開示されたパチンコ機はパチンコ店の島設備にヒンジで前方横方向に片開き可能に連結した形態である。
【０００３】
【発明が解決しようとする課題】
前記従来のパチンコ機では、パチンコ機の島設備への取付構造が特殊であるため、パチンコ機を異なる機種と交換する場合、取付構造を交換しなければ、異なる機種を島設備に設置することができず、遊技店側の経費負担が多くなり、実用性に欠けることは否めない。
【０００４】
そこで、本発明は、遊技店での経費増加を招くことのない遊技機枠体を提供するものである。
【０００５】
【課題を解決するための手段】
１つの発明に係る遊技機枠体は、遊技店の島設備に取付けられる外枠と、遊技に必要な全部の部品の取付けられかつ外枠の裏側から外枠に嵌め込まれる前枠とよりなる遊技機枠体において、外枠は前枠を外枠の裏側から収納するための前枠収納空間を囲み形成する額縁状であって、外枠の前面側には前枠収納空間側に突出する前側片を備え、外枠の上下枠部には外枠を島設備に回転可能に取付けるための回転支持機構を外枠の左右方向中央位置に備え、外枠の左右枠部または上下枠部には前枠収納空間に収納された前枠と外枠とを組付けるたの前枠ロック機構を備え、左右枠部の何れか一方には鍵穴に挿入されるキープレートの操作により島設備に外枠を回転しないように固定する閂を上枠部または下枠部に対し上下移動させるための施錠装置を備え、施錠装置の鍵穴が左右枠部の何れか一方の前面側および裏面側の双方からキープレートを挿入可能な形態であることを特徴としている。よって、この１つの発明によれば、前枠を外枠に前後方向で嵌め込むことにより、外枠を島設備に回転可能に取付けるための回転支持機構が外枠の上下枠部の左右方向中央位置に設けられているので、島設備に取付けられた外枠の裏面側を島設備の前面側に向けて前枠を外枠の前枠収納空間に収納することによって遊技部品の取付けられた前枠を容易に交換することができ、前側片が前枠収納空間に収納された前枠を前枠収納空間から前側に抜け出ないように受け止めることができ、前枠ロック機構が前枠収納空間に収納されて前側片で受け止められた前枠を外枠に組付けることができ、施錠装置で上下移動する閂が島設備に外枠を回転しないように固定することによって、島設備に対する外枠の固定姿勢が適切に保持でき、施錠装置の鍵穴が左右枠部の何れか一方の前面側および裏面側の双方からキープレートを挿入可能な形態であるので、上記前枠を交換する場合に、外枠の前面側または裏面側の何れかが島設備の前面に対し向けられても、キープレートを鍵穴に挿入して施錠装置を操作することができ、施錠装置の操作が簡単となる。もう１つの発明に係る遊技機枠体は、遊技店の島設備に取付けられる外枠と、遊技に必要な全部の部品の取付けられかつ外枠に嵌め込まれる前枠とよりなる遊技機枠体において、外枠は前枠を収納するための前枠収納空間を当該前枠収納空間に収納された前枠を受け止めるための前側片の存在しない前後方向に貫通する形状に囲み形成する額縁状であって、外枠の上下枠部には外枠を島設備に回転可能に取付けるための回転支持機構を外枠の左右方向中央位置に備え、外枠の左右枠部または上下枠部には前枠収納空間に収納された前枠と外枠とを組付けるたの前枠ロック機構を備え、左右枠部の何れか一方には鍵穴に挿入されるキープレートの操作により島設備に固定する閂を上枠部または下枠部に対し上下移動させるための施錠装置を備え、前枠には前枠ロック機構のロック片を嵌め込むための受溝を形成したことを特徴としている。よって、この１つの発明によれば、前枠収納空間が前枠を受け止めるための前側片の存在しない前後に貫通する形状であって、前枠ロック機構のロック片を嵌め込むための受溝が前枠に形成されているので、外枠の裏面側を島設備の前面側に向けてもよいが、外枠の前面側を島設備の前面側に向けたたま前枠を交換することができる。上記いずれの発明に係る遊技機枠体においては、外枠の左右方向中央位置には回転支持機構備に代る軸受孔が設けられ、島設備の上下框には外枠の軸受孔に嵌め込むための回転支持機構が設けられてもよい。
【０００６】
【発明の実施の形態】
図１〜図６は本発明の第１実施形態であって、図１は遊技機枠体１を分解し裏面側より示し、図２は図１をＡ−Ａ線に切断した断面を示し、図３は図１をＢ−Ｂ線に沿い切断した断面を示し、図４は遊技機枠体１を組立てて前側より示し、図５は図４をＣ−Ｃ線に沿い切断した断面を示し、図６は遊技機枠体１と島設備４１との平面的な配置関係を示す。
【０００７】
図１を参照し、遊技機枠体１について説明する。遊技機枠体１の外枠２は前枠収納空間３を四角形に囲み形成する額縁状であって、外枠２の前面側には前枠収納空間３側に突出する環状の前側片４を備え、外枠２の上下枠部５；６には回転支持機構７；８を外枠２の左右方向中央位置に備える。回転支持機構７；８の回転中心は上下方向の１つの直線上に位置する。外枠２の左右枠部９；１０の外側面９ａ；１０ａは回転支持機構７；８を中心とする円弧面として形成される。外枠２の左右枠部９；１０には前枠ロック機構１２を上下に備える。左右枠部９；１０の何れか一方には施錠装置１３を備える。施錠装置１３は左右枠部９；１０の何れか一方に設けられた鍵穴１４に挿入される図外のキープレートの操作により上下枠部５；６に対し閂１５を上下移動させる。遊技機枠体１の前枠３１は前枠収納空間３に前後方向で嵌め込み装着可能な額縁状であって、前枠３１には電気的な制御装置３２、球払出機構３３、上タンク３４、図４にも示す遊技盤３５、パネル枠３６、上皿装置３７、下皿装置３８、図外の球発射装置、球発射装置を駆動するためのハンドルグリップ３９、図外の電源装置等のような遊技に必要な全部の部品が取付けられる。遊技盤３５はパネル枠３６に装着された合成樹脂又はガラスのようなパネルの裏面側にパネルと所定間隔を以って配置される。
【０００８】
図２を参照し、回転支持機構７；８について説明する。外枠２の上枠部５に設けられた回転支持機構７は上枠部５に装着されたねじ受１６に上下方向に移動可能にねじ嵌合されたねじ棒１７を備え、ねじ棒１７の上枠部５より下方に突出する下端部には操作部１８が固定され、ねじ棒１７の上枠部５より上方に突出する上端部にはボールベアリングのような軸受１９を介して回転体２０が回転可能に取付けられており、回転体２０の上面には凹凸状の噛部２１が回転体２０の回転中心を中心とした１つの円周上に形成される。外枠２の下枠部６に設けられた回転支持機構８は下枠部６に装着された支持部材２２にボールベアリングのような軸受２３を介して回転可能に取付けられた回転体２４を備え、回転体２４の下面には凹凸状の噛部２５が回転体２４の回転中心を中心とした１つの円周上に形成される。
【０００９】
図３を参照し、前枠ロック機構１２について説明する。前枠ロック機構１２の軸部２６は左右枠部９；１０に回転可能に装着されており、左右枠部９；１０より裏面側に突出した軸部２６には摘部２７を有し、左右枠部９；１０に形成された内部空間２８に存在した軸部２６にはロック片２９を有し、ロック片２９の先端部が前枠収納空間３の側面に形成された逃孔３０より前枠収納空間３に突出した状態において、摘部２７が人為的に一方向へ例えば９０度回転操作されることにより、ロック片２９が摘部２７及び軸部２６と一緒に回転して前枠収納空間３より逃孔３０を経由して内部空間２８に退避する。その状態において、摘部２７が人為的に上記とは逆方向へ例えば９０度回転操作されることにより、ロック片２９が摘部２７及び軸部２６と一緒に回転して内部空間２８より逃孔３０を経由して前枠収納空間３に突出する。
【００１０】
第１実施形態の構造によれば、回転支持機構７の操作部１８を一方向に回転操作して回転体２０を上枠部５の方に近づけておき、外枠２を島設備の図２の上框４２と下框４３との間に挿入する。そして、外枠２の前面が島設備に対して所定の配置となるように位置決めされた後、操作部１８が他方向に回転操作されると、回転体２０が上框４２の下面に押付けられる。これによって、上枠部５の回転支持機構７における噛部２１が上框４２の下面に噛み込み、下枠部６の回転支持機構８における噛部２５が下框４３の上面に噛み込む。
【００１１】
それから、外枠２の左枠部９又は右枠部１０を前側から後側に押し、回転支持機構７；８を中心として外枠２の裏面側を島設備の前面側に向けた後、図外のキープレートを島設備の前面側から裏面側に向いた外枠２の鍵穴１４に差込んで一方向に９０度回転操作し、施錠装置１３の閂１５を外枠２より突出させて上框４２に形成された図外の穴及び下框４３に形成された図外の穴に挿入する。これによって、外枠２は裏面側が島設備の前面側に向けられて島設備に回転しないように固定される。
【００１２】
次に、前枠ロック機構１２の摘部２７が一方向へ９０度回転操作されて、ロック片２９が内部空間２８に退避させられた状態において、遊技に必要な全部の部品が取付けられた前枠３１が前枠３１の前面側より外枠２の前枠収納空間３に裏面側より嵌め込まれて前側片４で受止られる。その後、前枠ロック機構１２の摘部２７が逆方向へ９０度回転操作され、ロック片２９が内部空間２８より逃孔３０を経由して前枠収納空間３に突出して前枠３１を前側片４側に押圧しつつ前枠３１の裏面に係合する（図５参照）。これによって、前枠３１がロック片２９と前側片４とで支持され、外枠２と前枠３１とが図４に示すように互いに組付けられる。
【００１３】
更に、上記キープレートが他方向に１８０度回転操作されて施錠装置１３の閂１５を上框４２の穴及び下框４３の穴より外れた後、キープレートが一方向に９０度回転操作されて元の差込み位置に戻されて外枠２の鍵穴１４より島設備の前面側に引抜かれる。その状態において、前枠３１が組合された外枠２の左枠部９又は右枠部１０を前側から後側に押し、回転支持機構７；８を中心として外枠２の前面側を島設備の前面側に向けた後、上記キープレートを島設備の前面側から前面側に向いた外枠２の鍵穴１４に差込んで一方向に９０度回転操作し、施錠装置１３の閂１５を外枠２より突出させて上框４２の穴及び下框４３の穴に挿入する。これによって、外枠２は前面側が島設備の前面側に向けられて島設備に回転しないように固定される。図６において、Ｐは遊技機枠体１の回転支持機構７；８に相当する回転中心、４１は島設備を示す。
【００１４】
そして、外枠２及び前枠３１が島設備の前側に向けられ、球が上皿装置３７に入れられた状態において、遊技者がハンドルグリップ３９を操作すると、上皿装置３７よりパチンコ機の内部に投入された球が球発射装置で遊技盤３５の遊技領域に打込まれる。その打込まれた球が遊技盤３５に設けられた入賞口装置に入賞すると、その入賞に応じた賞球が球払出機構３３より上皿装置３７に払出される。これ以上の遊技動作は本発明の趣旨より逸脱するので、説明を省略する。
【００１５】
図７は本発明の第２実施形態として前記パチンコ機の前枠３１に代るスロットマシンの前枠５０を示す。この前枠５０と前記前枠３１とは遊技に必要な部品が異なるが、前枠５０が外枠２の前枠収納空間３に前後方向で嵌め込み装着可能な額縁状であることは同一であって、前枠３１と前枠５０とが外枠２を共用し得る。前枠５０には図柄可変表示装置５１、上皿装置５２、球取込機構５３やコンピュータを内蔵した電気的な制御装置５４、図外の下皿装置、電源装置、球払出機構、上タンク等が取付けられる。これらの遊技に必要な全部の部品が取付けられた前枠５０が外枠２に前後方向で嵌め込みにて互いに組付けられる。
【００１６】
そして、外枠２及び前枠５０が島設備の前側に向けられ、球が上皿装置５２に入れられた状態において、遊技者が図外の球投入スイッチ装置を１回押すと５個の球が、２回押すと１０個の球が、３回押すと１５個の球が、上皿装置５２よりスロットマシンの内部に投入される。それから、遊技者が図外の遊技開始スイッチ装置を操作すると、図柄可変表示装置５１が図柄を下へ可変する。その状態において、遊技者が、例えば、左側の図外の図柄停止スイッチ装置を押すと図柄可変表示装置５１の左側の図柄が停止し、真中の図外の図柄停止スイッチ装置を押すと図柄可変表示装置５１の真中の図柄が停止し、右側の図外の図柄停止スイッチ装置を押すと図柄可変表示装置５１の右側の図柄が停止する。この遊技者が図柄停止スイッチ装置を押す順序はどれを先に押しても良く、押された図柄停止スイッチ装置に対応する図柄可変表示装置５１の図柄が停止する。これらの停止した図柄が制御装置５４に予め設定された小当り、中当り、大当り等の図柄組合せで揃うと、それぞれの当りに応じた賞球が球払出機構より上皿装置５２に払出される。これ以上の遊技動作は本発明の趣旨より逸脱するので、説明を省略する。
【００１７】
図８は本発明の第３実施形態として島設備を示す。第３実施形態では、外枠２には前記回転支持機構７；８に代る軸受孔６１；６２が設けられ、島設備４１の上框４２及び下框４３には回転支持機構４６；４７が設けられる。上框４２に設けられた回転支持機構４６は、上框４２に上下方向に移動可能にねじ嵌合されたねじ棒４８を備え、ねじ棒４８の上框４２より上方に突出する上端部には操作部４９を備える。そして、操作部４９を一方向に回転操作して、ねじ棒４８の先端部を上框４２の方に近づけておき、下框４３より上方に突出した回転支持機構４７に外枠２の下枠部６に形成された軸受孔６２を回転可能に嵌め込み、外枠２の上枠部５に形成された軸受孔６１を回転支持機構４６のねじ棒４８の先端と位置を合せた後、操作部４９を他方向に回転操作して、ねじ棒４８の先端部を上框４２より上枠部５の軸受孔６１に挿入することにより、外枠２が島設備に回転可能に装着される。
【００１８】
図５では前枠ロック機構１２のロック片２９が前枠３１の裏面に係合したが、図９に示すように、前枠３１の左右側面に受溝７１を形成し、受溝７１にロック片２９を嵌め込むことにより、外枠２と前枠３１とを固定すれば、外枠２より前側片４を省くことができる。又、この図９の構造により、前枠３１の表面側を表示灯を有する装飾部材又は表示灯を持たない装飾部材で化粧する場合にあっては、製品設計の自由度が増す。
【００１９】
前記各実施形態では前枠ロック機構１２を左右枠部９；１０に設けたが、上下枠部５；６に設ければ、左右枠部９；１０の横幅が小さくでき、外枠２の横幅が小さくなり、島設備への遊技機の設置台数を増やすことができる。
【図面の簡単な説明】
【図１】本発明の第１実施形態の遊技機枠体を裏側より示す分解斜視図。
【図２】図１のＡ−Ａ線断面図。
【図３】図１のＢ−Ｂ線断面図。
【図４】同第１実施形態の遊技機枠体を前側より示す組立斜視図。
【図５】図４のＣ−Ｃ線断面図。
【図６】同第１実施形態の島設備への遊技機枠体の配置を示す摸式図。
【図７】本発明の第２実施形態の前枠を前側より示す斜視図。
【図８】本発明の第３実施形態の島設備を前側より示す斜視図。
【図９】本発明の第４実施形態の前枠ロック機構を示す断面図。
【符号の説明】
１  遊技機枠体
２  外枠
３  前枠収納空間
７；８；４６；４７  回転支持機構
１２  前枠ロック機構
１３  施錠装置
３１；５１  前枠
【図１】
0003592191.tif 000002
【図２】
0003592191.tif 000003
【図３】
0003592191.tif 000004
【図４】
0003592191.tif 000005
【図５】
0003592191.tif 000006
【図６】
0003592191.tif 000007
【図７】
0003592191.tif 000008
【図８】
0003592191.tif 000009
【図９】
0003592191.tif 000010